(57)【要約】【目的】装飾部材にＥＬパネルと陰極ドライバ及び陽極ドライバとを組み付けて可変表示装置を構成することにより、画像表示に対するノイズ等による影響を受け難い遊技機を提供する。【構成】可変表示装置８１は、識別情報の表示部分であるＥＬパネル２２と、ＥＬパネル２２の外周に近接して接続され且つＥＬパネル２２を駆動する陰極ドライバ２２ｃ及び陽極ドライバ２２ｃと、ＥＬパネル２２の外周部分及び陰極ドライバ２２ｃ及び陽極ドライバ２２ｃを被覆する装飾部材１８と、から構成され、可変表示装置８１を遊技盤６に対して固定すると共に、遊技盤６の挿通穴８２を介して、陰極ドライバ２２ｃ及び陽極ドライバ２２ｃと遊技盤６の裏面側に備えられた表示制御基板５６とを接続したことにより、ＥＬパネル２２と陰極ドライバ２２ｃ及び陽極ドライバ２２ｃとの接続を短い経路で行うことができ、接続の間で外部からのノイズ等の影響を受け難くなる。【選択図】        図５
2004229793.tif 000002
【特許請求の範囲】
【請求項１】
遊技領域が形成された遊技盤と、識別情報を可変表示して表示結果を導出表示する可変表示装置と、該可変表示装置を表示制御する表示制御基板と、を備えた遊技機において、
前記可変表示装置は、前記識別情報の表示部分であるエレクトロルミネッセンスパネルと、該エレクトロルミネッセンスパネルの外周に近接して接続され且つ該エレクトロルミネッセンスパネルを駆動する陰極ドライバ及び陽極ドライバと、前記エレクトロルミネッセンスパネルの外周部分及び前記陰極ドライバ及び陽極ドライバを被覆する装飾部材と、から構成され、
前記可変表示装置の裏面を前記遊技盤の表面に当接させた状態で、該可変表示装置を前記遊技盤に対して固定すると共に、前記遊技盤の前記可変表示装置の裏面側に対応する位置に設けた挿通穴を介して、前記陰極ドライバ及び陽極ドライバと前記遊技盤の裏面側に備えられた表示制御基板とを接続したことを特徴とする遊技機。
【請求項２】
遊技領域が形成された遊技盤と、識別情報を可変表示して表示結果を導出表示する可変表示装置と、該可変表示装置を表示制御する表示制御基板と、を備えた遊技機において、
前記可変表示装置は、前記識別情報の表示部分であるエレクトロルミネッセンスパネルと、該エレクトロルミネッセンスパネルの外周に近接して接続され且つ該エレクトロルミネッセンスパネルを駆動する陰極ドライバ及び陽極ドライバと、前記エレクトロルミネッセンスパネルの外周部分及び前記陰極ドライバ及び陽極ドライバを被覆する装飾部材と、から構成され、
前記装飾部材には、後方に突出した凹部を形成し、該凹部の表面又は裏面に前記エレクトロルミネッセンスパネルを取り付ける取付部を形成し、
該取付部を前記遊技盤に形成された開口部に挿入した状態で、前記可変表示装置を前記遊技盤に対して固定すると共に、前記陰極ドライバ及び陽極ドライバと前記遊技盤の裏面側に備えられた表示制御基板とを接続したことを特徴とする遊技機。
【請求項３】
前記装飾部材の裏面に位置し且つ前記陰極ドライバ及び陽極ドライバに接続されるドライバコネクタと、前記表示制御基板上に実装される表示制御基板コネクタとを直接接続したことを特徴とする請求項１又は請求項２記載の遊技機。
【請求項４】
前記凹部の奥行き寸法を前記遊技盤の厚さ寸法以下にしたことを特徴とする請求項１乃至請求項４のいずれかに記載の遊技機。
【請求項５】
前記装飾部材は、前記遊技盤の前面側から該遊技盤に対して取り付けられると共に、前記遊技盤の前面側から固着部材によって固定されることを特徴とする請求項１乃至請求項４のいずれかに記載の遊技機。
【発明の詳細な説明】
【０００１】
【発明の属する技術分野】
本発明は、遊技領域が形成された遊技盤と、識別情報を可変表示して表示結果を導出表示する可変表示装置と、該可変表示装置を表示制御する表示制御基板と、を備えた遊技機に関するものである。
【０００２】
【従来の技術】
近年、遊技機に備えられた可変表示装置において、識別情報等の画像を表示する部分に、電界を印加して得られる発光を利用したエレクトロルミネッセンスパネル（ＥＬ）パネルを用いるものが提案されている。このエレクトロルミネッセンスパネルを表示駆動するためには、陰極ドライバ及び陽極ドライバが必要であるが、可変表示装置でエレクトロルミネッセンスパネルを用いるものの場合、従来、陰極ドライバ及び陽極ドライバを遊技盤の裏面であってエレクトロルミネッセンスパネルから離れた位置に設けたもの（例えば、特許文献１）があった。
【０００３】
【特許文献１】
特開平１０−３１４４１７号公報（第７頁、図８，２１）
【０００４】
【発明が解決しようとする課題】
ところが、エレクトロルミネッセンスパネルは、僅かな電力によって駆動できるのが特徴であるため、従来のように、陰極ドライバ及び陽極ドライバがエレクトロルミネッセンスパネルから離れ、陰極ドライバ及び陽極ドライバとエレクトロルミネッセンスパネルとを結ぶケーブルが長くなる場合には、このケーブルに外部等からのノイズがのり易くなり、エレクトロルミネッセンスパネルの表示駆動に対して悪影響を与えることが考えられた。本発明は、上記した事情に鑑みなされたもので、その目的とするところは、装飾部材にエレクトロルミネッセンスパネルと陰極ドライバ及び陽極ドライバとを組み付けて可変表示装置を構成することにより、画像表示に対するノイズ等による影響を受け難い遊技機を提供することにある。
【０００５】
【課題を解決するための手段】
上記目的を達成するために、請求項１の発明においては、遊技領域が形成された遊技盤と、識別情報を可変表示して表示結果を導出表示する可変表示装置と、該可変表示装置を表示制御する表示制御基板と、を備えた遊技機において、前記可変表示装置は、前記識別情報の表示部分であるエレクトロルミネッセンスパネルと、該エレクトロルミネッセンスパネルの外周に近接して接続され且つ該エレクトロルミネッセンスパネルを駆動する陰極ドライバ及び陽極ドライバと、前記エレクトロルミネッセンスパネルの外周部分及び前記陰極ドライバ及び陽極ドライバを被覆する装飾部材と、から構成され、前記可変表示装置の裏面を前記遊技盤の表面に当接させた状態で、該可変表示装置を前記遊技盤に対して固定すると共に、前記遊技盤の前記可変表示装置の裏面側に対応する位置に設けた挿通穴を介して、前記陰極ドライバ及び陽極ドライバと前記遊技盤の裏面側に備えられた表示制御基板とを接続したことを特徴とする。このように構成することにより、エレクトロルミネッセンスパネルと陰極ドライバ及び陽極ドライバとの接続を短い経路で行うことができ、接続の間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。また、陰極ドライバ及び陽極ドライバを遊技盤の裏面側に取り付ける必要がないため、遊技盤の裏面側のスペースを有効に利用することができる。
【０００６】
また、請求項２の発明においては、遊技領域が形成された遊技盤と、識別情報を可変表示して表示結果を導出表示する可変表示装置と、該可変表示装置を表示制御する表示制御基板と、を備えた遊技機において、前記可変表示装置は、前記識別情報の表示部分であるエレクトロルミネッセンスパネルと、該エレクトロルミネッセンスパネルの外周に近接して接続され且つ該エレクトロルミネッセンスパネルを駆動する陰極ドライバ及び陽極ドライバと、前記エレクトロルミネッセンスパネルの外周部分及び前記陰極ドライバ及び陽極ドライバを被覆する装飾部材と、から構成され、前記装飾部材には、後方に突出した凹部を形成し、該凹部の表面又は裏面に前記エレクトロルミネッセンスパネルを取り付ける取付部を形成し、該取付部を前記遊技盤に形成された開口部に挿入した状態で、前記可変表示装置を前記遊技盤に対して固定すると共に、前記陰極ドライバ及び陽極ドライバと前記遊技盤の裏面側に備えられた表示制御基板とを接続したことを特徴とする。このように構成することにより、エレクトロルミネッセンスパネルと陰極ドライバ及び陽極ドライバとの接続を短い経路で行うことができ、接続の間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。また、エレクトロルミネッセンスパネルが凹部に形成された取付部に取り付けられるため、エレクトロルミネッセンスパネルの前方に位置する取付部のスペースを、例えば、遊技球の転動部等を形成するスペースに利用することができる。
【０００７】
また、請求項３の発明においては、前記装飾部材の裏面に位置し且つ前記陰極ドライバ及び陽極ドライバに接続されるドライバコネクタと、前記表示制御基板上に実装される表示制御基板コネクタとを直接接続したことを特徴とする。このように構成することにより、前記陰極ドライバ及び陽極ドライバと表示制御基板との間にリード線等を引き回さずにすむため、陰極ドライバ及び陽極ドライバと表示制御基板との間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。
【０００８】
また、請求項４の発明においては、前記凹部の奥行き寸法を前記遊技盤の厚さ寸法以下にしたことを特徴とする。このように構成することにより、凹部が遊技盤の裏面から突出することがないため、遊技盤の裏面に部品等を取り付ける場合の障害にならず、遊技盤の裏面のスペースを有効に利用することができる。
【０００９】
更に、請求項５の発明においては、前記装飾部材は、前記遊技盤の前面側から該遊技盤に対して取り付けられると共に、前記遊技盤の前面側から固着部材によって固定されることを特徴とする。このように構成することにより、遊技盤を遊技機本体から取り外すことなく装飾部材の取付及び固定を行うことができるため、装飾部材の取付作業及び固定作業の作業効率を向上させることができる。
【００１０】
【発明の実施の形態】
以下、本発明の一実施形態を図面を参照して説明する。
【００１１】
先ず、遊技機の一例である弾球遊技機の全体の構成について説明する。図１は弾球遊技機１を正面からみた正面図である。なお、ここでは、遊技機の一例として弾球遊技機を示すが、本発明は弾球遊技機に限られず、例えばコイン遊技機等であってもよい。
【００１２】
図１に示すように、弾球遊技機１は、額縁状に形成されたガラス扉枠２を有する。ガラス扉枠２の下部表面には打球供給皿３がある。打球供給皿３の下部には、打球供給皿３からあふれた遊技球を貯留する余剰球受皿４と打球を発射する打球操作ハンドル（操作ノブ）５が設けられている。ガラス扉枠２の後方には、遊技盤６が着脱可能に取り付けられている。
【００１３】
遊技盤６の表面には、図３に示すように、円形うず巻き状に誘導レール７が取り付けられ、該誘導レール７の内側が遊技領域８とされて発射された打球が落下するものである。遊技領域８には、図示の場合、特別図柄表示装置９、特別可変入賞球装置１０、始動領域としての普通可変入賞球装置１１等が設けられると共に、単に打球を入賞とする入賞口、打球の流下方向，速度を変化せしめる風車又は多数の障害釘が設けられ、遊技領域８の最下方には、いずれの入賞領域にも入賞しない打球が取り込まれるアウト口１２が設けられている。また、普通可変入賞球装置１１の左右の両側方には、それぞれ通過球検出器１３ａ，１３ｂが設けられている。この通過球検出器１３ａ，１３ｂは、該通過球検出器１３ａ，１３ｂ内を通過する打球を検出すると、その検出信号に基づいて特別図柄表示装置９（装飾部材１８）の上側に設けられる左右一対のＬＥＤからなる普通図柄表示器１４ａ，１４ｂを可変表示（点灯移動）して表示結果を導出する（左右いずれか一方のＬＥＤのみを点灯表示する）。なお、左側の普通図柄表示器１４ａには「○」が付され、右側の普通図柄表示器１４ｂには「×」が付されている。即ち、「×」が付された右側の普通図柄表示器１４ｂが点灯した場合には、普通図柄表示器１４ａ，１４ｂがハズレの表示結果を導出したことになる。一方、「○」が付された左側の普通図柄表示器１４ａが点灯した場合には、普通図柄表示器１４ａ，１４ｂが当りの表示結果を導出したことになり、普通可変入賞球装置１１が所定時間開放される。また、普通図柄表示器１４ａ，１４ｂの可変時間は、通常確率モードのときに相対的に長く（例えば、３０秒）、確率変動モードのときに相対的に短く（例えば、３〜５秒）設定されている。また、特別図柄表示装置９（装飾部材１８）の上側には、普通図柄表示器１４ａ，１４ｂの可変表示中に通過球検出器１３ａ，１３ｂを通過した打球数を記憶表示するゲート通過記憶表示器１５（最高４個まで記憶表示する）が設けられている。
【００１４】
普通可変入賞球装置１１は、遊技領域８のほぼ中央に配置される特別図柄表示装置９とアウト口１２の上方に配置される特別可変入賞球装置１０との間、言い換えれば特別図柄表示装置９よりも下方の遊技領域８に配置され、ソレノイド１６（図２参照）によって開閉駆動される電動チューリップタイプの可変入賞球装置である。そして、普通可変入賞球装置１１には、始動球検出器１７（図２参照）が内蔵され、開放中又は閉成中に受け入れた入賞球を検出するようになっている。しかして、打球が始動球検出器１７によって検出されると特別図柄表示装置９が可変表示を開始する。なお、普通可変入賞球装置１１の開放時間は、通常確率モードのときに相対的に短く（例えば、０．５秒）、確率変動モードのときに相対的に長く（例えば、２秒）設定されている。また、普通可変入賞球装置１１が開放していない場合でも打球を受け入れるようになっている。
【００１５】
特別図柄表示装置９は、左・中・右の特別図柄を個々に可変表示する表示領域８０が形成されたエレクトロルミネッセンス（以下、ＥＬと記す）ユニット２１から構成され、その前方外周には、方形状の窓枠形状をなす凹部１９が形成された装飾部材としての装飾部材１８が設けられる。装飾部材１８は、遊技領域８（遊技盤６面）に配置されると共に前面を開口し、遊技盤６の盤面よりも後方奥側に凹んだ奥行空間には、遊技領域８を流下する遊技球の受け入れが可能な凹部１９を形成している。これに対して、特別図柄表示装置９は、装飾部材１８の遊技盤６の盤面よりも後方に凹んだ奥側の開口を塞ぐように配置される。上記したＥＬユニット２１は、後述するように、ＥＬユニット２１の表示部分であるＥＬパネル２２やＥＬパネル２２を駆動するドライバ２２ｃ，２２ｄ等から構成されるものであるが、少なくともこのＥＬパネル２２とドライバ２２ｃ，２２ｄと装飾部材１８とによって可変表示装置８１が構成されている。
【００１６】
装飾部材１８の上側には、特別図柄の可変表示中に始動球検出器１７によって検出された球数を記憶表示するための始動記憶表示ＬＥＤ２０が設けられている。なお、始動記憶表示ＬＥＤ２０は、４個のＬＥＤからなり、最高４個まで記憶される始動記憶数を各ＬＥＤの点灯で表示するようになっている。また、装飾部材１８には、役物飾りランプ３６が設けられている。そして、特別図柄表示装置９の変動停止時における図柄の組合せが予め定めた大当り図柄の組合せ（例えば、同一の図柄が当りラインのいずれかに揃った特定表示態様となる場合）である場合に特定遊技状態を発生して、特別可変入賞球装置１０を次に説明する所定の表示態様で開閉駆動するものである。但し、大当り図柄の組合せの一部は、確変大当り図柄として設定され、この確変大当り図柄で特定遊技状態となったときには、その特定遊技状態終了後における前記普通図柄表示器１４ａ，１４ｂにおける当り（当りＬＥＤの点灯）の出現確率や特別図柄表示装置９における大当り図柄の出現確率が高くなる確率変動モードとなるように設定されている。
【００１７】
特定遊技状態となったときに駆動制御される特別可変入賞球装置１０は、ソレノイド２６によって開閉駆動される開閉板２５を有し、その開閉板２５に受け入れられた打球を検出する入賞個数検出器２７（図２参照）が設けられている。また、特別可変入賞球装置１０内（開閉板２５の内側）には、打球の検出（Ｖ入賞検出）に伴って特定遊技状態の継続権を成立させる特定球検出器２８（図２参照）が設けられており、該特定球検出器２８の上方には、一旦Ｖ入賞検出があると次に開閉板２５を開放するまでは打球が特定球検出器２８を通過しないようにするＶシャッター（図示しない）が設けられている。このＶシャッターは、ソレノイド３０（図２参照）によって開閉駆動が行われる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル（ラウンド遊技）中に受け入れられた打球が特定球検出器２８によって検出されたときに継続権が成立して、再度上記した開放サイクルが実行され、各開放サイクルにおいて継続権が成立していることを条件に最高１５回の開放サイクル（１〜１５ラウンド）を繰り返すことができるようになっている。
【００１８】
遊技領域８には、上記した構成以外に、入賞球検出器３２及び装飾ランプ３３を内蔵する入賞口３１や、サイド飾りランプ３５を備えたサイド飾り３４等が設けられている。また、遊技領域８の外側となるガラス扉枠２の左右上部には、効果音を発する２つのスピーカ４１が設けられている。また、ガラス扉枠２には、遊技効果ＬＥＤ４２が設けられている。そして、この例では、ガラス扉枠２の左側に、賞球残数があるときに点灯する賞球ランプ４３が設けられ、ガラス扉枠２の上側に、補給球が切れたときに点灯する球切れランプ４４が設けられている。さらに、図１には、弾球遊技機１に隣接して設置され、プリペイドカードが挿入されることによって球貸しを可能にするカードユニット４５も示されている。
【００１９】
次に、弾球遊技機１の裏面に配置されている各基板について説明する。
【００２０】
図２に示すように、弾球遊技機１の裏面では、枠体２Ａ内の機構板５２の上部に球貯留タンク５３が設けられ、弾球遊技機１が遊技機設置島に設置された状態でその上方から遊技球が球貯留タンク５３に供給される。球貯留タンク５３内の遊技球は、誘導樋５４を通って賞球ケース５５で覆われる球払出装置６８に至る。
【００２１】
遊技機裏面側では、特別図柄表示装置９及び普通図柄表示器１４ａ，１４ｂを制御する表示制御基板５６、遊技制御用マイクロコンピュータ等が搭載された遊技制御基板５７が設置されている。この表示制御基板５６には、後述する表示制御基板５６と接続するための表示制御基板コネクタ８６（図８参照）が実装されている。また、球払出制御を行う払出制御用マイクロコンピュータ等が搭載された払出制御基板５８、及びモータの回転力を利用して打球を遊技領域８に発射する打球発射装置５１が設置されている。さらに、各種ランプ・ＬＥＤに信号を送るためのランプ制御基板５９、スピーカ４１からの音声発生を制御するための音制御基板６０、及び打球発射装置を制御するための発射制御基板６１も設けられている。なお、ランプ制御基板５９及び音制御基板６０は、それぞれ表示制御基板５６を介して遊技制御基板５７からの制御信号を受信するようになっている（図３参照）。
【００２２】
さらに、ＤＣ３０Ｖ、ＤＣ２１Ｖ、ＤＣ１２Ｖ及びＤＣ５Ｖを作成する電源回路が搭載された電源基板６２が設けられ、上方には、各種情報を遊技機外部に出力するための各端子を備えたターミナル基板６３が設置されている。ターミナル基板６３には、少なくとも、球切れ検出スイッチの出力を導入して外部出力するための球切れ用端子、賞球個数信号を外部出力するための賞球用端子及び球貸し個数信号を外部出力するための球貸し用端子が設けられている。また、中央付近には、遊技制御基板５７からの各種情報を遊技機外部に出力するための各端子を備えた情報端子盤６４が設置されている。
【００２３】
図２は、弾球遊技機１の機構板５２を背面からみた背面図である。球貯留タンク５３に貯留された球は誘導樋５４を通り、球切れ検出器６６を通過して球供給樋６７を経て球払出装置６８に至る。球切れ検出器６６は、遊技球通路内の遊技球の有無を検出するスイッチであるが、球貯留タンク５３内の補給球の不足を検出する球切れ検出器６９も設けられている。球払出装置６８から払い出された遊技球は、連絡口（図示しない）を通って弾球遊技機１の前面に設けられている打球供給皿３に供給される。連絡口の側方には、弾球遊技機１の前面に設けられている余剰球受皿４に連通する余剰球通路（図示しない）が形成されている。また、球払出装置６８には、払い出した遊技球（賞球）の個数をカウントする賞球カウントスイッチ７０（図３参照）が設けられている。
【００２４】
入賞に基づく景品球が多数払い出されて打球供給皿３が満杯になり、ついには遊技球が連絡口に到達した後さらに遊技球が払い出されると遊技球は、余剰球通路を経て余剰球受皿４に導かれる。さらに遊技球が払い出されると、満タンスイッチ７３がオンする。その状態では、球払出装置６８内のステッピングモータの回転が停止して球払出装置６８の動作が停止すると共に打球発射装置の駆動も停止する。
【００２５】
図４は、遊技制御基板５７における回路構成の一例を示すブロック図である。なお、図３には、払出制御基板５８、ランプ制御基板５９、音制御基板（音制御基板）６０、及び表示制御基板５６も示されている。遊技制御基板５７には、プログラムに従って弾球遊技機１を制御する基本回路７４と、ゲートスイッチ（通過球検出器）１３ａ，１３ｂ、始動口スイッチ（始動球検出器）１７、カウントスイッチ（入賞個数検出器）２７、Ｖカウントスイッチ（特定球検出器）２８、入賞口スイッチ（入賞球検出器）３２、満タンスイッチ７３、球切れスイッチ（球切れ検出器）６６、球切れ検出スイッチ（球切れ検出器）６９、及び賞球カウントスイッチ７０からの信号を基本回路７４に与えるスイッチ回路７５と、特別可変入賞球装置１０（開閉板２５）を開閉するソレノイド２６、普通可変入賞球装置１１を開閉するソレノイド１６、Ｖシャッター２９を開閉するソレノイド３０を、基本回路７４からの指令に従って駆動するソレノイド回路７６とが搭載されている。
【００２６】
また、基本回路７４から与えられるデータに従って、大当りの発生を示す大当り情報、特別図柄表示装置９の可変表示開始に利用された始動入賞球の個数を示す始動情報、確率変動が生じたことを示す確変情報、払い出された賞球の個数を示す賞球情報等の情報出力信号をホールコンピュータ等の外部機器に対して出力する情報出力回路７７が搭載されている。
【００２７】
基本回路７４は、ゲーム制御用のプログラム等を記憶するＲＯＭ７４ａ、ワークメモリとして使用され、始動記憶数を記憶するＲＡＭ７４ｂ、プログラムに従って制御動作（貯留装置２１の移行動作の制御を含む）を行う動作制御手段、所定数判定手段、特定数判定手段としてのＣＰＵ７４ｃ、及びＩ／Ｏポート部７４ｄを含む。この実施形態では、ＲＯＭ７４ａ、ＲＡＭ７４ｂはＣＰＵ７４ｃに内蔵されている。即ち、ＣＰＵ７４ｃは、１チップマイクロコンピュータである。なお、１チップマイクロコンピュータは、少なくともＲＡＭ７４ｂが内蔵されていればよく、ＲＯＭ７４ａ及びＩ／Ｏポート部７４ｄは外付けであっても内蔵されていてもよい。また、遊技制御基板５７には、基本回路７４からのアドレスデータをデコードし、基本回路７４内のＲＡＭ７４ｂ、Ｉ／Ｏポート部７４ｄ、あるいはＲＯＭ７４ａにそれぞれチップセレクト信号を与えるアドレスデコード回路７８が設けられている。
【００２８】
また、遊技制御基板５７側の基本回路７４が接続された表示制御基板５６には、特別図柄を可変表示する特別図柄表示装置９及び普通図柄表示器１４ａ，１４ｂの接続に加えて、前述したように音制御基板６０とランプ制御基板５９とが接続されている。言い換えれば、表示制御基板５６は、特別図柄表示装置９及び普通図柄表示器１４ａ，１４ｂの表示制御に加えて、スピーカ４１からの音声発生制御と、各種ランプ・ＬＥＤ（遊技効果ＬＥＤ４２、賞球ランプ４３、球切れランプ４４、装飾ランプ３３、役物飾りランプ３６、ゲート通過記憶表示器１５、及び始動記憶表示ＬＥＤ２０）の表示制御を行うようになっている。なお、特別図柄表示器９の表示制御基板５６との接続は、特別図柄表示器９を駆動制御するためのドライバ２２ｃ，２２ｄ及び、特別図柄表示器９と表示制御基板５６とを中継するための表示制御中継基板６５を介して接続されている。
【００２９】
次に、特別図柄表示装置９を構成するＥＬユニット２１について図５乃至図７を参照して説明する。図５は、第１実施形態に係る可変表示装置８１の分解斜視図であり、図６は、第２実施形態に係る可変表示装置８１の分解斜視図であり、図７は、第３実施形態に係る可変表示装置８１の分解斜視図であり、図８は、第１実施形態及び第２実施形態に係る可変表示装置８１の縦断面図である。ＥＬユニット２１は、図５乃至図７に示すように、自己発光型の表示パネルであるＥＬパネル２２と、該ＥＬパネル２２を前後方向から挟持して保持する前面カバー部材２３及び後面カバー部材２４と、から構成されている。ＥＬパネル２２は、横長長方形状の画像表示面２２ａと、該画像表示面２２ａの外周部分を形成する額縁形状のフレーム部２２ｂと、を備え、フレーム部２２ｂの右側辺部分及び上辺部分には、それぞれＥＬパネル２２（画像表示面２２ａ）を駆動するための陰極ドライバ２２ｃ及び陽極ドライバ２２ｄが設けられている。なお、このような陰極ドライバ２２ｃ及び陽極ドライバ２２ｄは、フレーム部２２ｂの裏面から延設されたコネクタ配線２２ｅを介して表示制御中継基板６５に接続され、表示制御中継基板６５から表示制御基板５６に接続されるものである。また、ＥＬパネル２２の詳細な構造は図示しないが、前面側から透明な保護層と透明電極と発光層と背面電極と絶縁層とが積層状に形成されるものであり、背面電極に微少電流を流すことにより、発光層を所定の色彩を持って発光させるものである。
【００３０】
前面カバー部材２３は、ＥＬパネル２２の画像表示面２２ａを視認可能な透明部材から形成され、その四隅部分には、ＥＬパネル２２を後面カバー部材２４との間で挟持した状態でビス８８によって装飾部材１８あるいは遊技盤６に取り付けるための取付穴２３ａが穿設されている。一方、後面カバー部材２４は、ＥＬパネル２２の発光が裏面側に透過するのを防止するために不透明な部材から形成され、その四隅部分には、前面カバー部材２３と同様にＥＬパネル２２を前面カバー部材２３との間で挟持した状態でビス８８によって装飾部材１８あるいは遊技盤６に取り付けるための取付穴２４ａが穿設されている。
【００３１】
次に、上記したＥＬユニット２１が取り付けられる、第１実施形態に係る装飾部材１８について図５及び図８（Ａ）を参照して説明する。図５において、第１実施形態に係る装飾部材１８は、図５に示すように、前面側に枠開口部９０が開設される共に、この枠開口部２１１の前端側の全周に亘って形成されたフランジ部９１と、を備えた額縁形状をなしている。フランジ部９１には、装飾部材１８を遊技盤４０にビス止めするための取付穴９２が穿設されている。また、装飾部材１８の裏面側には、図８（Ａ）に示すように、後方に突出した凹部８４が形成されており、この凹部８４の裏面には、ＥＬユニット２１が取り付けられる取付部８５が装飾部材１８と一体的に形成されている。この取付部８５には、ＥＬユニット２１を取り付けるための取付ボス９４が後方に向けて突設されている。なお、取付部８５は、凹部８４の表面に形成されるものであってもよい。
【００３２】
また、装飾部材１８の裏面側には、ＥＬユニット２１と表示制御基板５６とを接続するための表示制御中継基板６５を取り付けるための取付ボス（図示しない）が形成されている。ここで、表示制御基板５６は、上記したように、ＥＬユニット２１のＥＬパネル２２から延設されるコネクタ配線２２ｅが接続されると共に、このコネクタ配線２２ｅに接続されるドライバコネクタ８７が実装されている。なお、上記した凹部８４の前面側は、図５に示すように、遊技球が転動する転動部９３として形成されている。この転動部９３は、その上面の両側方と中央部が上方に突出して波形形状に形成されるものである。
【００３３】
また、第１実施形態に係る遊技盤６は、図８（Ａ）に示すように、遊技盤６に装飾部材１８を取り付ける際に、装飾部材１８の凹部８４が挿入される開口部８３が形成されている。この開口部８３は、凹部８４の外形にほぼ沿った形で遊技盤６に貫通して形成されるものである。
【００３４】
しかして、第１実施形態に係る可変表示装置８１の組み立ては、まず、前面カバー部材２３，ＥＬパネル２２，後面カバー部材２４の順に重ね合わせ、後面カバー部材２４の背面側からそれぞれの取付穴２４ａ，２２ｆ，２３ａに挿通したビス８８を、装飾部材１８の取付部８５に突設された取付ボス９４に螺着することにより、ＥＬユニット２１を装飾部材１８に取り付ける。そして、ＥＬユニット２１を装飾部材１８に取り付けた後、表示制御中継基板６５を装飾部材１８の取付ボスにビス（図示しない）によって取り付けることにより、可変表示装置８１が組み立てられる。可変表示装置８１が組み立てられた際には、ＥＬパネル２２の外周部分、即ち、フレーム部２２ｂと陰極ドライバ２２ｃ及び陽極ドライバ２２ｄとが装飾部材１８に被覆されるようになっている。
【００３５】
このようにして組み立てられた可変表示装置８１の遊技盤６への取り付けは、まず、遊技盤６の前面側から、装飾部材１８の凹部８４を遊技盤６の開口部８３に挿入し、フランジ部９１の裏面側を遊技盤６の表面に当接させる。この状態で取付穴９２に挿通したビス８９（図７参照）を遊技盤６に穿設したネジ穴（図示しない）に螺着することにより、可変表示装置８１が遊技盤６に取り付けられる。このとき、装飾部材１８に取り付けられた表示制御中継基板６５のドライバコネクタ８７の接続面が遊技盤６の裏面側に向くように、ドライバコネクタ８７が位置することとなる。そして、このドライバコネクタ８７に、表示制御基板５６に実装された表示制御基板コネクタ８６を直接接続することにより、ＥＬユニット２１が表示制御基板５６に接続されることとなる。なお、装飾部材１８の凹部８４の奥行き寸法が、遊技盤６の厚さ寸法以下に形成されているため、凹部８４が遊技盤６の裏面側から突出することがない。
【００３６】
上記した第１実施形態に係る可変表示装置８１は、遊技盤６に取り付けられる際に装飾部材１８の凹部８４が開口部８３に挿入されて取り付けられるものであるが、このようなものに限らず、装飾部材１８が遊技盤６の表面に取り付けられるものであってもよい。このような実施形態（第２実施形態）に係る可変表示装置８１について図６及び図８（Ｂ）を参照して説明する。なお、同様の機能を有する部品については、同じ符号を付した。
【００３７】
図６において、第２実施形態に係る装飾部材１８には、第１実施形態の装飾部材１８における凹部８４が形成されていないため、第２実施形態に係る装飾部材１８の厚さは、第１実施形態に係る装飾部材１８の厚さよりも小さくなっている。このため、取付部８５が第１実施形態の装飾部材１８に比べ、より装飾部材１８の前方側に形成されている。また、凹部８４が形成されていないことにより、転動部９３も形成されていない。これらの点以外は、第１実施形態に係る装飾部材１８と同じ構造であるため、構造の説明は省略する。
【００３８】
一方、第２実施形態に係る可変表示装置８１に備えられた表示制御中継基板６５に実装されるドライバコネクタ８７は、図８（Ｂ）に示すように、その高さが第１実施形態に係る表示制御中継基板６５に実装されるドライバコネクタ８７よりも高く形成されている。
【００３９】
また、第２実施形態に係る遊技盤６は、図８（Ｂ）に示すように、遊技盤６に装飾部材１８を取り付けた際に、ドライバコネクタ８７が挿入される挿通穴８２が形成されている。この挿通穴８２は、ドライバコネクタ８７の外形寸法よりもやや大きな寸法で遊技盤６に貫通して形成されるものである。
【００４０】
上記した第２実施形態に係る可変表示装置８１の組み立ては、第１実施形態に係る可変表示装置８１の組み立てと同様であるため、これも詳細な説明は、省略する。第１実施形態と同様にして組み立てられた可変表示装置８１の遊技盤６への取り付けは、まず、遊技盤６の前面側から、表示制御中継基板６５のドライバコネクタ８７を挿通穴８２に挿入しながら、フランジ部９１の裏面側を遊技盤６の表面に当接させる。この状態で第１実施形態と同様に、取付穴９２に挿通したビス８９（図７参照）を遊技盤６に穿設したネジ穴（図示しない）に螺着することにより、可変表示装置８１が遊技盤６に取り付けられる。このとき、装飾部材１８に取り付けられた表示制御中継基板６５のドライバコネクタ８７の接続面が挿通穴８２に臨むように、ドライバコネクタ８７が位置することとなる。そして、第１実施形態と同様、このドライバコネクタ８７に、表示制御基板５６に実装された表示制御基板コネクタ８６を直接接続することにより、ＥＬユニット２１が表示制御基板５６に接続されることとなる。
【００４１】
上記した第１実施形態及び第２実施形態に係る可変表示装置８１は、ＥＬユニット２１が装飾部材１８に取り付けられるものであるが、このようなものに限らず、ＥＬユニット２１が遊技盤６の表面に取り付けられるものであってもよい。このような実施形態（第３実施形態）に係る可変表示装置８１について図７を参照して説明する。なお、同様の機能を有する部品については、同じ符号を付した。
【００４２】
図７において、第３実施形態に係る装飾部材１８は、第２実施形態の装飾部材１８から取付部８５を除いた構造のものであり、このため、第３実施形態に係る装飾部材１８の厚さは、第２実施形態に係る装飾部材１８の厚さよりも小さくなっている。この点以外は、第２実施形態に係る装飾部材１８と同じ構造であるため、構造の説明は省略する。
【００４３】
また、第３実施形態に係る可変表示装置８１に備えられた表示制御中継基板６５に実装されるドライバコネクタ８７及び第３実施形態に係る遊技盤６に形成される挿通穴８２も、第２実施形態と同様であるため、詳細な説明は省略する。
【００４４】
第３実施形態に係る可変表示装置８１の組み立ては、第１実施形態及び第２実施形態に係る可変表示装置８１の組み立てと異なり、装飾部材１８に対してＥＬユニット２１は取り付けることなく、表示制御中継基板６５のみを取り付ける。そして、第３実施形態に係る可変表示装置８１の遊技盤６への取り付けは、まず、前面カバー部材２３，ＥＬパネル２２，後面カバー部材２４の順に重ね合わせ、前面カバー部材２３の前面側からそれぞれの取付穴２３ａ，２２ｆ，２４ａに挿通したビス８８を、遊技盤６に穿設したネジ穴（図示しない）に螺着することにより、ＥＬユニット２１を遊技盤６に取り付ける。
【００４５】
そして、第２実施形態と同様に、遊技盤６の前面側から、表示制御中継基板６５のドライバコネクタ８７を挿通穴８２に挿入しながら、フランジ部９１の裏面側を遊技盤６の表面に当接させる。この状態で第１実施形態及び第２実施形態と同様に、取付穴９２に挿通したビス８９を遊技盤６に穿設したネジ穴（図示しない）に螺着することにより、可変表示装置８１が遊技盤６に取り付けられる。このとき、第１実施形態と同様、装飾部材１８に取り付けられた表示制御中継基板６５のドライバコネクタ８７の接続面が挿通穴８２に臨むように、ドライバコネクタ８７が位置することとなる。そして、第１実施形態及び第２実施形態と同様、このドライバコネクタ８７に、表示制御基板５６に実装された表示制御基板コネクタ８６を直接接続することにより、ＥＬユニット２１が表示制御基板５６に接続されることとなる。
【００４６】
以上、実施形態にかかる弾球遊技機１について詳細に説明してきたが、本実施形態においては、遊技領域８が形成された遊技盤６と、識別情報を可変表示して表示結果を導出表示する可変表示装置８１と、該可変表示装置８１を表示制御する表示制御基板５６と、を備えた弾球遊技機１において、前記可変表示装置８１は、前記識別情報の表示部分であるＥＬパネル２２と、該ＥＬパネル２２の外周に近接して接続され且つ該ＥＬパネル２２を駆動する陰極ドライバ２２ｃ及び陽極ドライバ２２ｃと、前記ＥＬパネル２２の外周部分及び前記陰極ドライバ２２ｃ及び陽極ドライバ２２ｃを被覆する装飾部材１８と、から構成され、前記可変表示装置８１の裏面を前記遊技盤６の表面に当接させた状態で、該可変表示装置８１を前記遊技盤６に対して固定すると共に、前記遊技盤６の前記可変表示装置８１の裏面側に対応する位置に設けた挿通穴８２を介して、前記陰極ドライバ２２ｃ及び陽極ドライバ２２ｃと前記遊技盤６の裏面側に備えられた表示制御基板５６とを接続したことにより、ＥＬパネル２２と陰極ドライバ２２ｃ及び陽極ドライバ２２ｃとの接続を短い経路で行うことができ、接続の間で外部からのノイズ等の影響を受け難くなるため、可変表示装置８１で安定した画像表示を行うことができる。このため、遊技において行われる可変表示装置８１での演出等が影響を受けることなく確実に実行され、遊技の興趣を向上することができる。また、陰極ドライバ２２ｃ及び陽極ドライバ２２ｃを遊技盤６の裏面側に取り付ける必要がないため、遊技盤６の裏面側のスペースを有効に利用することができる。
【００４７】
また、請求項２の発明においては、遊技領域８が形成された遊技盤６と、識別情報を可変表示して表示結果を導出表示する可変表示装置８１と、該可変表示装置８１を表示制御する表示制御基板５６と、を備えた弾球遊技機１において、前記可変表示装置８１は、前記識別情報の表示部分であるＥＬパネル２２と、該ＥＬパネル２２の外周に近接して接続され且つ該ＥＬパネル２２を駆動する陰極ドライバ２２ｃ及び陽極ドライバ２２ｃと、前記ＥＬパネル２２の外周部分及び前記陰極ドライバ２２ｃ及び陽極ドライバ２２ｃを被覆する装飾部材１８と、から構成され、前記装飾部材１８には、後方に突出した凹部８４を形成し、該凹部８４の表面又は裏面に前記ＥＬパネル２２を取り付ける取付部８５を形成し、該取付部８５を前記遊技盤６に形成された開口部８３に挿入した状態で、前記可変表示装置８１を前記遊技盤６に対して固定すると共に、前記陰極ドライバ２２ｃ及び陽極ドライバ２２ｃと前記遊技盤６の裏面側に備えられた表示制御基板５６とを接続したことにより、ＥＬパネル２２と陰極ドライバ２２ｃ及び陽極ドライバ２２ｃとの接続を短い経路で行うことができ、接続の間で外部からのノイズ等の影響を受け難くなるため、可変表示装置８１で安定した画像表示を行うことができる。このため、遊技において行われる可変表示装置８１での演出等が影響を受けることなく確実に実行され、遊技の興趣を向上することができる。また、ＥＬパネル２２が取付部８５前面側の凹部８４に取り付けられるため、ＥＬパネル２２の前方に位置する取付部８５のスペースを、例えば、遊技球の転動部９３等を形成するスペースに利用することができる。
【００４８】
また、請求項３の発明においては、前記装飾部材１８の裏面に位置し且つ前記陰極ドライバ２２ｃ及び陽極ドライバ２２ｃに接続されるドライバコネクタ８７と、前記表示制御基板５６上に実装される表示制御基板コネクタ８６とを直接接続したことにより、前記陰極ドライバ２２ｃ及び陽極ドライバ２２ｃと表示制御基板５６との間にリード線等を引き回さずにすむため、陰極ドライバ２２ｃ及び陽極ドライバ２２ｃと表示制御基板５６との間で外部からのノイズ等の影響を受け難くなるため、可変表示装置８１で安定した画像表示を行うことができる。このため、遊技において行われる可変表示装置８１での演出等が影響を受けることなく確実に実行され、遊技の興趣を向上することができる。
【００４９】
また、請求項４の発明においては、前記凹部８４の奥行き寸法を前記遊技盤６の厚さ寸法以下にしたことにより、凹部８４が遊技盤６の裏面から突出することがないため、遊技盤６の裏面に部品等を取り付ける場合の障害にならず、遊技盤６の裏面のスペースを有効に利用することができる。
【００５０】
更に、請求項５の発明においては、前記装飾部材１８は、前記遊技盤６の前面側から該遊技盤６に対して取り付けられると共に、前記遊技盤６の前面側から固着部材としてのビス８９によって固定されることにより、遊技盤６を弾球遊技機１本体から取り外すことなく装飾部材１８の取付及び固定を行うことができるため、装飾部材１８の取付作業及び固定作業の作業効率を向上させることができる。
【００５１】
【発明の効果】
以上、説明したところから明らかなように、請求項１の発明においては、エレクトロルミネッセンスパネルと陰極ドライバ及び陽極ドライバとの接続を短い経路で行うことができ、接続の間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。また、陰極ドライバ及び陽極ドライバを遊技盤の裏面側に取り付ける必要がないため、遊技盤の裏面側のスペースを有効に利用することができる。
【００５２】
また、請求項２の発明においては、エレクトロルミネッセンスパネルと陰極ドライバ及び陽極ドライバとの接続を短い経路で行うことができ、接続の間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。また、エレクトロルミネッセンスが凹部に形成された取付部に取り付けられるため、エレクトロルミネッセンスの前方に位置する取付部のスペースを、例えば、遊技球の転動部等を形成するスペースに利用することができる。
【００５３】
また、請求項３の発明においては、前記陰極ドライバ及び陽極ドライバと表示制御基板との間にリード線等を引き回さずにすむため、陰極ドライバ及び陽極ドライバと表示制御基板との間で外部からのノイズ等の影響を受け難くなるため、可変表示装置で安定した画像表示を行うことができる。このため、遊技において行われる可変表示装置での演出等が影響を受けることなく確実に実行され、遊技の興趣を向上することができる。
【００５４】
また、請求項４の発明においては、凹部が遊技盤の裏面から突出することがないため、遊技盤の裏面に部品等を取り付ける場合の障害にならず、遊技盤の裏面のスペースを有効に利用することができる。
【００５５】
更に、請求項５の発明においては、遊技盤を遊技機本体から取り外すことなく装飾部材の取付及び固定を行うことができるため、装飾部材の取付作業及び固定作業の作業効率を向上させることができる。
【図面の簡単な説明】
【図１】本発明の一実施形態における弾球遊技機を示す正面図である。
【図２】弾球遊技機の裏面を示す背面図である。
【図３】遊技盤を示す正面図である。
【図４】遊技制御基板の回路構成を示すブロック図である。
【図５】第１実施形態に係る可変表示装置の分解斜視図である。
【図６】第２実施形態に係る可変表示装置の分解斜視図である。
【図７】第３実施形態に係る可変表示装置の分解斜視図である。
【図８】第１実施形態及び第２実施形態に係る可変表示装置の縦断面図である。
【符号の説明】
１  弾球遊技機（遊技機）
２  前面枠
６  遊技盤
８  遊技領域
１８  装飾部材
２２  エレクトロルミネッセンスパネル
２２ｃ  陰極ドライバ
２２ｄ  陽極ドライバ
５６  表示制御基板
８１  可変表示装置
８２  挿通穴
８４  凹部
８５  取付部
８６  表示制御基板コネクタ
８７  ドライバコネクタ
８９  ビス
９３  転動部
【図１】
2004229793.tif 000003
【図２】
2004229793.tif 000004
【図３】
2004229793.tif 000005
【図４】
2004229793.tif 000006
【図５】
2004229793.tif 000007
【図６】
2004229793.tif 000008
【図７】
2004229793.tif 000009
【図８】
2004229793.tif 000010